(57)【要約】【課題】  ホームネットワーク２に接続された外部のサーバ装置に保存されているコンテンツを、携帯電話機１上で所定時間間隔で順次、連続再生する場合に、該コンテンツの再生が開始されるまでに長時間の待ち時間が発生してユーザが煩わしさを覚える不都合を防止する。【解決手段】  パーソナルコンピュータ装置４やハードディスクレコーダ装置等の外部のサーバ装置に保存されているコンテンツを取り込んでいる間、携帯電話機１の内部メモリに保存されているコンテンツの連続再生を先に開始し、上記外部のサーバ装置からコンテンツの取り込みが行われた際に、先に連続再生している内部メモリのコンテンツに代えて（或いは、内部メモリのコンテンツも交えて）、外部のサーバ装置から取り込んだコンテンツの連続再生を行う。【選択図】  図１
2008271334.tif 000002
【特許請求の範囲】
【請求項１】
当該携帯端末装置と物理的に一体化されて設けられ、所定のコンテンツが保存されたコンテンツ記憶手段と、
複数のコンテンツを所定時間間隔で順次、連続再生する連続再生手段と、
ホームネットワークに近距離無線通信回線の接続を図り、該ホームネットワークに接続された外部のサーバ装置からコンテンツの取り込みを行うための近距離無線通信手段と、
上記ホームネットワークに接続された外部のサーバ装置からコンテンツの取り込みを行うように上記近距離無線通信手段を制御している間に、上記ホームネットワークに接続された外部のサーバ装置に保存されているコンテンツの上記連続再生が指定された場合、上記コンテンツ記憶手段に記憶されているコンテンツの連続再生を実行するように上記連続再生手段を制御すると共に、上記近距離無線通信手段により上記外部のサーバ装置からコンテンツが取り込まれた際に、上記コンテンツ記憶手段に保存されているコンテンツの連続再生に代えて、上記外部のサーバ装置から取り込んだコンテンツの連続再生を行うように上記連続再生手段を制御し、或いは上記近距離無線通信手段により上記外部のサーバ装置からコンテンツが取り込まれた際に、上記コンテンツ記憶手段に保存されているコンテンツを交えて、上記外部のサーバ装置から取り込んだコンテンツの連続再生を行うように上記連続再生手段を制御する制御手段と
を有する携帯端末装置。
【請求項２】
請求項１に記載の携帯端末装置であって、
上記制御手段は、上記外部のサーバ装置に保存されているコンテンツのうち、未再生のコンテンツ、又はユーザの嗜好に対応するコンテンツ、或いは再生途中となっているコンテンツを該サーバ装置から取り込むように上記近距離無線通信手段を制御すること
を特徴とする携帯端末装置。
【請求項３】
請求項１又は請求項２に記載の携帯端末装置であって、
ユーザの入力操作に対応した電子メールを作成する電子メール作成手段を有し、
上記制御手段は、上記連続再生手段で連続再生されているコンテンツの再生一時停止が指定された際に、該コンテンツの連続再生を一次停止するように上記連続再生手段を制御すると共に、この連続再生を一時停止した際に該連続再生手段で再生されていたコンテンツを電子メールの添付ファイルとするための表示を表示手段に表示し、この表示に基づいて上記コンテンツを電子メールの添付ファイルとする指示がなされた場合に、上記連続再生を一時停止した際に上記連続再生手段で再生されていたコンテンツを添付ファイルとした電子メールの作成画面を上記表示手段に表示するように上記電子メール作成手段を制御すること
を特徴とする携帯端末装置。
【請求項４】
請求項１から請求項３のうち、いずれか一項に記載の携帯端末装置であって、
上記制御手段は、上記連続再生手段で連続再生されているコンテンツの再生一時停止が指定された際に、該コンテンツの連続再生を一次停止するように上記連続再生手段を制御すると共に、この連続再生を一時停止した際に該連続再生手段で再生されていたコンテンツを上記コンテンツ記憶手段に保存するための表示を表示手段に表示し、この表示に基づいて上記コンテンツを保存する指示がなされた場合に、上記連続再生を一時停止した際に上記連続再生手段で再生されていたコンテンツを上記コンテンツ記憶手段に保存制御すること
を特徴とする携帯端末装置。
【請求項５】
請求項１から請求項４のうち、いずれか一項に記載の携帯端末装置であって、
上記制御手段は、上記連続再生手段によりコンテンツが連続再生されている際に、コンテンツの一覧表示が指定された場合、当該指定がなされた際に上記連続再生手段で再生されていたコンテンツを含む、前後所定数のコンテンツの一覧を表示手段に表示制御し、この一覧の中から所望のコンテンツが選択された場合、この選択されたコンテンツを再生制御すること
を特徴とする携帯端末装置。
【請求項６】
制御手段が、ホームネットワークに近距離無線通信回線の接続を図り、該ホームネットワークに接続された外部のサーバ装置からコンテンツの取り込みを行うように近距離無線通信手段を制御するステップと、
上記外部のサーバ装置からコンテンツの取り込みを行うように近距離無線通信手段を制御している間に、該外部のサーバ装置から取り込んだ複数のコンテンツの連続再生が指定された場合、制御手段が、当該コンテンツ再生方法が適用される装置と物理的に一体化されて設けられ、所定のコンテンツが保存されるコンテンツ記憶手段に記憶されている各コンテンツを、所定時間間隔で順次、連続再生するように連続再生手段を制御するステップと、
上記近距離無線通信手段により上記外部のサーバ装置からコンテンツが取り込まれた際に、制御手段が、上記コンテンツ記憶手段に保存されているコンテンツの連続再生に代えて、上記外部のサーバ装置から取り込んだコンテンツの連続再生を行うように上記連続再生手段を制御し、或いは上記近距離無線通信手段により上記外部のサーバ装置からコンテンツが取り込まれた際に、上記コンテンツ記憶手段に保存されているコンテンツを交えて、上記外部のサーバ装置から取り込んだコンテンツの連続再生を行うように上記連続再生手段を制御するステップと
を有するコンテンツ再生方法。
【請求項７】
ホームネットワークに近距離無線通信回線の接続を図り、該ホームネットワークに接続された外部のサーバ装置からコンテンツの取り込みを行うように近距離無線通信手段を制御する近距離無線通信制御手段としてコンピュータを機能させ、
上記近距離無線通信制御手段としてコンピュータを機能させている間に、該外部のサーバ装置から取り込んだ複数のコンテンツの連続再生が指定された場合、当該コンテンツ再生プログラムが適用される装置と物理的に一体化されて設けられ、所定のコンテンツが保存されるコンテンツ記憶手段に記憶されている各コンテンツを、所定時間間隔で順次、連続再生するように連続再生手段を制御する内部コンテンツ連続再生制御手段としてコンピュータを機能させ、
上記近距離無線通信制御手段としてコンピュータを機能させることで、上記近距離無線通信手段により上記外部のサーバ装置からコンテンツが取り込まれた際に、上記内部コンテンツ連続再生制御手段としてコンピュータを機能させることで上記連続再生を行っている上記コンテンツ記憶手段に保存されているコンテンツに代えて、上記外部のサーバ装置から取り込んだコンテンツの連続再生を行うように上記連続再生手段を制御する外部コンテンツ連続再生制御手段としてコンピュータを機能させ、
或いは、上記近距離無線通信制御手段としてコンピュータを機能させることで、上記近距離無線通信手段により上記外部のサーバ装置からコンテンツが取り込まれた際に、上記内部コンテンツ連続再生制御手段としてコンピュータを機能させることで上記連続再生を行っている上記コンテンツ記憶手段に保存されているコンテンツを交えて、上記外部のサーバ装置から取り込んだコンテンツの連続再生を行うように上記連続再生手段を制御する外部コンテンツ連続再生制御手段としてコンピュータを機能させること
を特徴とするコンテンツ再生プログラム。
【発明の詳細な説明】
【技術分野】
【０００１】
本発明は、ホームネットワークに接続された外部のサーバ装置に保存されているコンテンツを、所定時間間隔で順次、連続再生する場合に、該コンテンツの再生が開始されるまでに長時間の待ち時間が発生してユーザが煩わしさを覚える不都合を防止するために、上記外部のサーバ装置に保存されているコンテンツを取り込んでいる間、内部メモリ（＝外付けメモリも含む）に保存されているコンテンツの連続再生を先に開始し、上記外部のサーバ装置からコンテンツの取り込みが行われた際に、先に連続再生している内部メモリのコンテンツに代えて（或いは、内部メモリのコンテンツも交えて）、外部のサーバ装置から取り込んだコンテンツの連続再生を行うことで、上記長時間の待ち時間が発生してユーザが煩わしさを覚える不都合を防止した携帯端末装置、コンテンツ再生方法、及びコンテンツ再生プログラムに関する。
【背景技術】
【０００２】
今日において、メモリ等に保存されている静止画像コンテンツを所定時間間隔で、順次連続再生する、いわゆるスライドショー機能が知られている。例えば、特開２００６−７８７５０号の公開特許公報（特許文献１）には、各種情報を含めて複数の撮影画像を順次切り換えて表示することで、より付加価値の高いスライドショー表示を実現することを目的とした携帯型情報処理装置が開示されている。
【０００３】
この携帯型情報処理装置の場合、 当該携帯型情報処理装置の表示部が縦長表示位置（通常モード）となっている場合には、表示部の上半分にカレンダを表示すると共に、この表示部の下半分にスライド対象の画像をスライドショー表示する。また、当該携帯型情報処理装置が充電台にセットされ、表示部が横長表示位置（ビューワモード）となっている場合には、表示部の右半分にカレンダを表示し、表示部の左半分にスライド対象の画像をスライドショー表示する。これにより、表示部の全表示領域を、カレンダ表示用及びスライドショー表示用に分割して用いることができるため、複数の情報を表示部に表示したうえで、スライドショーを実行可能とすることができる。
【０００４】
また、特開２００６−８６８４８号の公開特許公報（特許文献２）には、当該装置の配置状態に応じてスライドショー表示の表示向きを変更し、また、当該装置の状態に応じてスライドショー表示の実行／不実行を決定する携帯型情報処理装置が開示されている。
【０００５】
この携帯型情報処理装置は、当該携帯型情報処理装置が充電台にセットされ、或いは所定時間放置された場合に当該携帯型情報処理装置の状態を判別し、表示部が外側に向けられて折り畳まれた状態、すなわちビュースタイルの場合にのみ、表示部に複数の画像を順次切り換えて表示するスライドショー表示を実行する。また、スライドショー表示を実行する際には、表示部の向き（縦長表示位置か、横長表示位置か）に応じて、画像サイズを調整すると共に表示向きを変更する。これにより、スライドショー表示を実行して意味がある場合のみ、該スライドショー表示を実行することができ、また、表示部の向きに対応したスライドショー表示を実行することができる。
【０００６】
一方、近年において、動画像、音楽、静止画像の各コンテンツを、ホームネットワークを介して相互に接続されたオーディオ／ビジュアル機器、モバイル機器、パーソナルコンピュータ装置等の異なる機器間で共有可能とするための技術的なガイドラインであるデジタルリビングネットワークアライアンスガイドライン（＝ＤＬＮＡガイドライン、DLNA：Digital Living Network Alliance：登録商標）が知られている。このＤＬＮＡガイドラインに準拠した機器同士であれば、特別な設定を必要とすることなく、相互接続してコンテンツの共有が可能となる。
【０００７】
【特許文献１】特開２００６−７８７５０号公報（第１１頁、図１１）
【特許文献２】特開２００６−８６８４８号公報（第１６頁、図１０）
【発明の開示】
【発明が解決しようとする課題】
【０００８】
ここで、このようなＤＬＮＡガイドラインに準拠して動作する、例えば携帯電話機及びパーソナルコンピュータ装置を用いて、該パーソナルコンピュータ装置に保存されている静止画像コンテンツを携帯電話機上で、所定時間間隔で順次、連続再生する場合、携帯電話機を家庭内ＬＡＮ等のホームネットワークを介してパーソナルコンピュータ装置に接続し、該パーソナルコンピュータ装置に保存されている静止画像コンテンツを携帯電話機に取り込んで該連続再生を行うこととなる。
【０００９】
しかし、上記パーソナルコンピュータ装置等の外部のサーバ装置に保存されているコンテンツを携帯電話機上で順次、連続再生するには、ユーザがホームネットワークに対する接続操作を行う時間、ホームネットワーク接続がなされてから上記サーバ装置を検出する時間、及び検出されたサーバ装置からコンテンツを取り込む時間等を合算した時間を必要とする。このため、ユーザは、コンテンツの連続再生が実際に開始されるまでに、上記合算した時間分、待つ必要があり、煩わしさを覚える問題があった。
【００１０】
本発明は、上述の課題に鑑みてなされたものであり、携帯端末装置で外部のサーバ装置に保存されているコンテンツを所定時間間隔で順次、連続再生する場合に、該コンテンツの連続再生が開始されるまでに長時間を要することで、ユーザが煩わしさを覚える不都合を防止した携帯端末装置、コンテンツ再生方法、及びコンテンツ再生プログラムの提供を目的とする。
【課題を解決するための手段】
【００１１】
本発明に係る携帯端末装置は、上述の課題を解決するための手段として、
当該携帯端末装置と物理的に一体化されて設けられ、所定のコンテンツが保存されたコンテンツ記憶手段と、
複数のコンテンツを所定時間間隔で順次、連続再生する連続再生手段と、
ホームネットワークに近距離無線通信回線の接続を図り、該ホームネットワークに接続された外部のサーバ装置からコンテンツの取り込みを行うための近距離無線通信手段と、
上記ホームネットワークに接続された外部のサーバ装置からコンテンツの取り込みを行うように上記近距離無線通信手段を制御している間に、上記ホームネットワークに接続された外部のサーバ装置に保存されているコンテンツの上記連続再生が指定された場合、上記コンテンツ記憶手段に記憶されているコンテンツの連続再生を実行するように上記連続再生手段を制御すると共に、上記近距離無線通信手段により上記外部のサーバ装置からコンテンツが取り込まれた際に、上記コンテンツ記憶手段に保存されているコンテンツの連続再生に代えて、上記外部のサーバ装置から取り込んだコンテンツの連続再生を行うように上記連続再生手段を制御し、或いは上記近距離無線通信手段により上記外部のサーバ装置からコンテンツが取り込まれた際に、上記コンテンツ記憶手段に保存されているコンテンツを交えて、上記外部のサーバ装置から取り込んだコンテンツの連続再生を行うように上記連続再生手段を制御する制御手段と
を有する。
【００１２】
また、本発明に係るコンテンツ再生方法は、上述の課題を解決するための手段として、
制御手段が、ホームネットワークに近距離無線通信回線の接続を図り、該ホームネットワークに接続された外部のサーバ装置からコンテンツの取り込みを行うように近距離無線通信手段を制御するステップと、
上記外部のサーバ装置からコンテンツの取り込みを行うように近距離無線通信手段を制御している間に、該外部のサーバ装置から取り込んだ複数のコンテンツの連続再生が指定された場合、制御手段が、当該コンテンツ再生方法が適用される装置と物理的に一体化されて設けられ、所定のコンテンツが保存されるコンテンツ記憶手段に記憶されている各コンテンツを、所定時間間隔で順次、連続再生するように連続再生手段を制御するステップと、
上記近距離無線通信手段により上記外部のサーバ装置からコンテンツが取り込まれた際に、制御手段が、上記コンテンツ記憶手段に保存されているコンテンツの連続再生に代えて、上記外部のサーバ装置から取り込んだコンテンツの連続再生を行うように上記連続再生手段を制御し、或いは上記近距離無線通信手段により上記外部のサーバ装置からコンテンツが取り込まれた際に、上記コンテンツ記憶手段に保存されているコンテンツを交えて、上記外部のサーバ装置から取り込んだコンテンツの連続再生を行うように上記連続再生手段を制御するステップと
を有する。
【００１３】
また、本発明に係るコンテンツ再生プログラムは、上述の課題を解決するために、
ホームネットワークに近距離無線通信回線の接続を図り、該ホームネットワークに接続された外部のサーバ装置からコンテンツの取り込みを行うように近距離無線通信手段を制御する近距離無線通信制御手段としてコンピュータを機能させ、
上記近距離無線通信制御手段としてコンピュータを機能させている間に、該外部のサーバ装置から取り込んだ複数のコンテンツの連続再生が指定された場合、当該コンテンツ再生プログラムが適用される装置と物理的に一体化されて設けられ、所定のコンテンツが保存されるコンテンツ記憶手段に記憶されている各コンテンツを、所定時間間隔で順次、連続再生するように連続再生手段を制御する内部コンテンツ連続再生制御手段としてコンピュータを機能させ、
上記近距離無線通信制御手段としてコンピュータを機能させることで、上記近距離無線通信手段により上記外部のサーバ装置からコンテンツが取り込まれた際に、上記内部コンテンツ連続再生制御手段としてコンピュータを機能させることで上記連続再生を行っている上記コンテンツ記憶手段に保存されているコンテンツに代えて、上記外部のサーバ装置から取り込んだコンテンツの連続再生を行うように上記連続再生手段を制御する外部コンテンツ連続再生制御手段としてコンピュータを機能させ、
或いは、上記近距離無線通信制御手段としてコンピュータを機能させることで、上記近距離無線通信手段により上記外部のサーバ装置からコンテンツが取り込まれた際に、上記内部コンテンツ連続再生制御手段としてコンピュータを機能させることで上記連続再生を行っている上記コンテンツ記憶手段に保存されているコンテンツを交えて、上記外部のサーバ装置から取り込んだコンテンツの連続再生を行うように上記連続再生手段を制御する外部コンテンツ連続再生制御手段としてコンピュータを機能させる。
【００１４】
このような本発明は、外部のサーバ装置から取り込んだ複数のコンテンツの連続再生が指定された場合、該外部のサーバ装置からコンテンツの取り込みを行っている間、本発明が適用される装置と物理的に一体化されて設けられたコンテンツ記憶手段に記憶されている各コンテンツを、所定時間間隔で順次、連続再生することで、上記コンテンツの連続再生が指定されたタイミングでの連続再生を実行する。
【００１５】
そして、外部のサーバ装置からコンテンツの取り込みが行われた際に、先に連続再生している上記コンテンツ記憶手段のコンテンツに代えて、或いは、コンテンツ記憶手段のコンテンツも交えて、外部のサーバ装置から取り込んだコンテンツの連続再生を実行することで、上記長時間の待ち時間が発生してユーザが煩わしさを覚える不都合を防止する。
【発明の効果】
【００１６】
本発明は、ホームネットワーク上に接続されている外部のサーバ装置からコンテンツを取り込むまでの間は、コンテンツ記憶手段に記憶されているコンテンツの連続再生を、先行して実行することができるため、ユーザからの見た目上、コンテンツの連続再生を直ちに実行することができる。従って、外部のサーバ装置に保存されているコンテンツの連続再生が開始されるまでに長時間を要することで、ユーザが煩わしさを覚える不都合を防止することができる。
【発明を実施するための最良の形態】
【００１７】
本発明は、デジタル・リビング・ネットワーク・アライアンス・ガイドライン（＝ＤＬＮＡガイドライン、DLNA：Digital Living Network Alliance：登録商標）に準拠して動作する各機器で構成されたホームネットワークシステムに適用することができる。
【００１８】
［ＤＬＮＡガイドラインの概要］
まず、ＤＬＮＡガイドライン ｖ１では、デバイスモデルとしてＤＭＳ(Digital Media Server)とＤＭＰ（Digital Media Player）という２つのモデルが定義されている。ＤＭＳはＵＰｎＰ（Universal Plug and Play：登録商標）のメディアサーバが内蔵されたサーバ用のデバイスモデル、ＤＭＰはメディアクライアントとコントロールポイントと呼ばれるユーザが操作するソフトウェアが内蔵されたクライアント用のデバイスモデルとなっている。ＤＭＳとＤＭＰの各機能をどの機器に持たせるかは自由となっており、両方の機能を１台の機器に持たせることも可能となっている。
【００１９】
ＤＬＮＡガイドライン ｖ１．１では、これらに加え、ＤＭＣ(Digital Media Controller)、ＤＭＲ(Digital Media Renderer)、ＤＭＰｒ(Digital Media Printer)の３つのデバイスモデルが新たに定義されている。ＤＭＣはコントロールポイントだけを独立させたデバイスモデルで、ＤＭＲはユーザインターフェイスを持たない再生プレーヤのデバイスモデルとなっている。これにより、リモートコントローラ機能のみを有するＤＬＮＡガイドライン対応デバイスや、ＤＭＣによりコントロールされ、再生だけを行うＤＬＮＡガイドライン対応デバイス等を実現可能となっている。
【００２０】
また、ＤＬＮＡガイドラインでは、ネットワークとしてイーサネット（Ethernet：登録商標）、或いは無線ＬＡＮ（LAN：Local Area Network）を、通信プロトコルとしてＴＣＰ／ＩＰ（Transmission Control Protocol/Internet Protocol）を、アドレスの動的割り当てにＤＨＣＰ（Dynamic Host Configuration Protocol）やオートＩＰをそれぞれ用いるように規定されている。また、ＤＬＮＡガイドラインでは、コンテンツの送受信にＨＴＴＰ（HyperText Transfer Protocol）を、ＤＭＳ機器とＤＭＰ機器との間のメッセージの記述にはＸＭＬ（Extensible Markup Language）を、利用可能なサーバの検索やコンテンツ一覧の取得にはＵＰｎＰ（Universal Plug and Play：登録商標）を、それぞれ用いるように規定されている。
【００２１】
また、ＤＬＮＡガイドラインでは、リニアＰＣＭ（Linear Pulse Code Modulation）、ＭＰ３（MPEG-1 Audio Layer-3）、ＡＡＣ（Advanced Audio Coding）、ＡＴＲＡＣ３Ｐｌｕｓ（登録商標、ATRAC：Adaptive TRansform Acoustic Coding）、ＷＭＡ（登録商標、Windows Media Audio）等の音声コンテンツ、ＪＰＥＧ（Joint Photographic Experts Group）の静止画コンテンツ、ＭＰＥＧ−２（Moving Picture Experts Group phase 2）の動画コンテンツは、必ず取り扱い可能とするように規定されている。
【００２２】
［システムの構成］
本発明の実施の形態となるホームネットワークシステムは、このようなＤＬＮＡガイドラインに準拠して動作する各機器で構成されており、例えば携帯電話機１と、当該携帯電話機１のユーザの自宅に構築されているホームネットワーク２に接続された近距離無線通信のアクセスポイント３（近距離無線通信ＡＰ）と、パーソナルコンピュータ装置４と、ハードディスクレコーダ装置５とを有している。
【００２３】
パーソナルコンピュータ装置４には、静止画像コンテンツ、動画像コンテンツ、音楽コンテンツ等の各種コンテンツが記憶されており、また、ハードディスクレコーダ装置５には、静止画像コンテンツ及び動画像コンテンツが記憶されている。このパーソナルコンピュータ装置４及びハードディスクレコーダ装置５は、携帯電話機１に対する外部のサーバ装置として機能するようになっており、後述するコンテンツの連続再生が指定された際に、ホームネットワーク２及び近距離無線通信ＡＰを介して各コンテンツを携帯電話機１に配信するようになっている。
【００２４】
一方、携帯電話機１は、図２に示すように基地局との間で音声通話、テレビ電話通話、電子メール、Ｗｅｂデータ（Web：World Wide Web）等の無線通信を行うアンテナ２１及び通信回路２２と、受話音声や各コンテンツの音声等を出力するためのスピーカ部２３と、送話音声等を集音するマイクロホン部２４と、上記静止画像コンテンツや動画像コンテンツ等を表示するための表示部２５と、所定の入力操作や選択操作等を行うための操作部２６とを有している。
【００２５】
また、この携帯電話機１は、発着信等を光で知らせるための発光部２７（LED：Light Emitting Diode）と、所望の被写体の動画像或いは静止画像を撮像するためのカメラ部２８と、当該携帯電話機１の筐体を振動させて発着信等を知らせるためのバイブレーションユニット２９と、時刻をカウントするタイマ３０と、上記近距離無線通信ＡＰ３との間で例えば無線ＬＡＮやブルートゥース（Bluetooth：登録商標）等の近距離無線通信を行うための近距離無線通信アンテナ３１及び近距離無線通信部３２と、コミュニケーションプログラムや各種アプリケーションプログラムの他、これら各アプリケーションプログラムで取り扱われる各コンテンツ等が記憶されたメモリ３３と、当該携帯電話機全体の動作を制御する制御部３４とを有している。
【００２６】
メモリ３３には、コンテンツを所定時間間隔で順次、連続再生するコンテンツ連続再生処理プログラムと、カメラ部２８の撮像制御を行うカメラ制御プログラムと、Ｗｅｂページを閲覧するためのＷｅｂブラウジングプログラムと、電子メールの作成や送受信を制御するための電子メール管理プログラムと、ユーザのスケジュールが登録されたスケジュール帳の管理を行うためのスケジュール帳管理プログラムと、電話帳の管理を行うための電話帳管理プログラムと、音楽コンテンツの再生を行うための音楽プレーヤプログラムとが記憶されている。
【００２７】
また、メモリ３３には、ユーザの所望のスケジュールが登録されるスケジュール帳と、ユーザの知人や友人等の静止画像、電話番号、電子メールアドレス、誕生年月日等が登録された電話帳と、音楽プレーヤプログラムに基づいて再生され、或いは上記コンテンツ連続再生処理プログラムに基づいて連続再生される音楽コンテンツと、カメラ制御プログラムのビューワ機能に基づいて再生され、或いは上記コンテンツ連続再生処理プログラムに基づいて連続再生される静止画像コンテンツ及び動画像コンテンツと、送受信された電子メールコンテンツと、電話及び電子メールの発着信履歴等が記憶されている。
【００２８】
［連続再生動作］
次に、このような構成を有する当該実施の形態のホームネットワークシステムでは、携帯電話機１を介して、上記外部のサーバ装置となるパーソナルコンピュータ装置４或いはハードディスクレコーダ装置５に記憶されたコンテンツの連続再生を指定した場合、この外部のサーバ装置からコンテンツの取り込みを行う間、先に、当該携帯電話機１内のメモリ３３（或いは、当該携帯電話機１対して着脱可能な外付けメモリでもよい。）に記憶されているコンテンツの連続再生を開始するようになっている。
【００２９】
このような連続再生動作の流れを図３のフローチャートに示す。この図３のフローチャートに示す各処理は、携帯電話機１の制御部３４が、メモリ３３に記憶されているコンテンツ連続再生処理プログラムに基づいて実行するようになっている。なお、以下、理解を容易とするために、「静止画像コンテンツ」の連続再生を行うものとして説明を進める。
【００３０】
携帯電話機１の制御部３４は、当該携帯電話機１のメイン電源の投入を検出すると、或いは当該携帯電話機１が充電器に載置されたことを検出すると、メモリ３３に記憶されているコンテンツ連続再生処理プログラムに基づいて、この図３のフローチャートに示す各処理の実行を開始する。
【００３１】
まず、制御部３４は、ステップＳ１及びステップＳ２において、近距離無線通信ＡＰ３を間欠的にサーチするように近距離無線通信部３２を制御すると共に、このサーチにより近距離無線通信ＡＰ３が検出されたか否かを判別し、近距離無線通信ＡＰ３が検出されたタイミングで処理をステップＳ３に進める。なお、このような近距離無線通信ＡＰ３のサーチは、無駄な消費電力を削減する目的で所定時間置きに間欠的に実行することが好ましいであろう。
【００３２】
次に、近距離無線通信ＡＰ３が検出されるということは、ユーザが自宅に居ることを意味すると共に、ユーザの自宅のホームネットワーク２に接続されたパーソナルコンピュータ装置４或いはハードディスクレコーダ装置５に記憶されている静止画像コンテンツの連続再生が実行可能であることを意味している。このため、制御部３４は、近距離無線通信ＡＰ３が検出されることで処理をステップＳ３に進めると、パーソナルコンピュータ装置４やハードディスクレコーダ装置５等の外部のサーバ装置に保存されている静止画像コンテンツの連続再生を指示するための、図４（ａ）に示す連続再生指示アイコン４０を表示部２５に表示制御して、処理をステップＳ４に進める。
【００３３】
ユーザは、操作部２６を介して、この連続再生指示アイコン４０を選択操作することで、パーソナルコンピュータ装置４やハードディスクレコーダ装置５等の外部のサーバ装置に保存されている静止画像コンテンツの連続再生の実行を指定するようになっている。このため、制御部３４は、ステップＳ４で、この連続再生指示アイコン４０の選択操作の有無を監視し、該連続再生指示アイコン４０の選択操作を検出したタイミングで処理をステップＳ５に進める。
【００３４】
ステップＳ５では、外部のサーバ装置に保存されている静止画像コンテンツの連続再生の実行が指定されたため、制御部３４が、外部のサーバ装置の検出を開始するように近距離無線通信部３２を制御すると共に、当該携帯電話機１内のメモリ３３に保存されている静止画像コンテンツの検出を行う。そして、ステップＳ６において、当該携帯電話機１内のメモリ３３から静止画像コンテンツが検出されたか否かを判別する。
【００３５】
制御部３４は、近距離無線通信部３２で外部のサーバ装置の検出動作が行われている間、図４（ｂ）に示すようにピクトマークが表示されているピクトエリアに、近距離無線通信部３２が起動していることを示す近距離無線通信アイコン４１を点滅表示する。これにより、ユーザに対して、近距離無線通信部３２の起動を知らせることができる。
【００３６】
次に、上記ステップＳ６以降、
１．メモリ３３に静止画像コンテンツが保存されているが、ホームネットワーク２に接続された外部のサーバ装置が存在しない場合、
２．メモリ３３に静止画像コンテンツが保存されておらず、ホームネットワーク２に接続された外部のサーバ装置も存在しない場合、
３．メモリ３３に静止画像コンテンツが保存されていないが、ホームネットワーク２に接続された外部のサーバ装置が存在する場合、及び
４．メモリ３３に静止画像コンテンツが保存されており、ホームネットワーク２に接続された外部のサーバ装置が存在する場合、
の４つの場合が存在する。
【００３７】
（１の場合）
まず、「１．メモリ３３に静止画像コンテンツが保存されているが、ホームネットワーク２に接続された外部のサーバ装置が存在しない場合」、制御部３４は、メモリ３３内のコンテンツの有無を判別するステップＳ６で「Ｙｅｓ」と判別し、外部のサーバ装置の検出の有無を判別するステップＳ８で「Ｎｏ」と判別することとなる。
【００３８】
この場合、制御部３４は、メモリ３３に静止画像コンテンツが保存されているため、ステップＳ７において、メモリ３３に保存されている静止画像コンテンツのファイルパスに基づいて再生リストを形成する。そして、この形成した再生リストに基づいて、各静止画像コンテンツを所定時間間隔で順次、連続的に再生する連続再生を開始する。
【００３９】
これにより、パーソナルコンピュータ装置４やハードディスクレコーダ装置５等の外部のサーバ装置に保存されている静止画像コンテンツが連続再生される前に、上記連続再生指示アイコン４０が選択操作されたタイミングでメモリ３３に保存されている静止画像コンテンツの連続再生が開始され、、図４（ｂ）に示すように該連続再生された各静止画像コンテンツが表示部２５に順次、表示されることとなる。なお、制御部３４は、静止画像コンテンツと共に、当該静止画像コンテンツの保存場所、及び当該静止画像コンテンツに付された識別番号を表示部２５に順次、表示するようになっている。図４（ｂ）は、メモリ３３（＝内部メモリ）に保存されている「ＩＭ−００３」の識別番号が付された静止画像コンテンツの表示例である。
【００４０】
また、この場合、制御部３４は、外部のサーバ装置が検出されないため、処理をステップＳ１１に進め、ホームネットワーク２に接続されている全てのサーバ装置の検出が終了したタイミングで処理をステップＳ１２に進め、上記ステップＳ７で形成した再生リストに対応する、上記メモリ３３に保存されている全ての静止画像コンテンツの再生を終了したタイミングで、この図３のフローチャートに示す全処理を終了する。
【００４１】
すなわち、この「１．メモリ３３に静止画像コンテンツが保存されているが、ホームネットワーク２に接続された外部のサーバ装置が存在しない場合」、制御部３４は、メモリ３３に保存されている静止画像コンテンツのみを連続再生して、この図３のフローチャートに示す全処理を終了することとなる。
【００４２】
また、この場合、ホームネットワーク２に接続された外部のサーバ装置が存在しないため、制御部３４は、ホームネットワーク２に接続された外部のサーバ装置が存在しないことを判別するまでの間、図４（ｂ）に示す近距離無線通信アイコン４１を点滅表示し、ホームネットワーク２に接続された外部のサーバ装置が存在しないことを判別したタイミングで、近距離無線通信アイコン４１を非表示制御する。これにより、ユーザに対して、外部のサーバ装置が検出されなかったことを認識させることができる。
【００４３】
なお、外部のサーバ装置が検出されなかった場合、この近距離無線通信アイコン４１の非表示制御と共に、例えば「サーバ装置を検出できません」等のエラーメッセージを表示部２５に表示制御してもよい。
【００４４】
（２の場合）
次に、「２．メモリ３３に静止画像コンテンツが保存されておらず、ホームネットワーク２に接続された外部のサーバ装置も存在しない場合」、制御部３４は、メモリ３３内のコンテンツの有無を判別するステップＳ６で「Ｎｏ」と判別し、外部のサーバ装置の検出の有無を判別するステップＳ８でも「Ｎｏ」と判別することとなる。
【００４５】
この場合、制御部３４は、メモリ３３に静止画像コンテンツが保存されていないうえ、静止画像コンテンツを保存している外部のサーバ装置も検出されないため、ステップＳ１１及びステップＳ１２を介して、この図３のフローチャートに示す全処理を終了し、例えば「サーバ装置を検出できません」等のエラーメッセージを表示部２５に表示することとなる。
【００４６】
すなわち、この「２．メモリ３３に静止画像コンテンツが保存されておらず、ホームネットワーク２に接続された外部のサーバ装置も存在しない場合」、制御部３４は、静止画像コンテンツの連続再生を行うことなく、この図３のフローチャートに示す全処理を終了することとなる。
【００４７】
（３の場合）
次に、「３．メモリ３３に静止画像コンテンツが保存されていないが、ホームネットワーク２に接続された外部のサーバ装置が存在する場合」、制御部３４は、メモリ３３内のコンテンツの有無を判別するステップＳ６で「Ｎｏ」と判別し、外部のサーバ装置の検出の有無を判別するステップＳ８で「Ｙｅｓ」と判別することとなる。
【００４８】
この場合、制御部３４は、メモリ３３に静止画像コンテンツが保存されていないため、外部のサーバ装置の検出を待って、処理をステップＳ９に進め、この検出された上記パーソナルコンピュータ装置４やハードディスクレコーダ装置５等の外部のサーバ装置に保存されているコンテンツに対応する再生リストを形成する。そして、ステップＳ１０において、この形成した再生リストに基づいて、外部のサーバ装置に保存されている静止画像コンテンツの連続再生を開始する。
【００４９】
これにより、ユーザから静止画像コンテンツの連続再生の実行が指定されてから、外部のサーバ装置の検出、及び該検出したサーバ装置からの静止画像コンテンツの取り込みを経て、該取り込んだ静止画像コンテンツの連続再生が開始されることとなる。
【００５０】
また、この場合、制御部３４は、それまで点滅表示制御していた近距離無線通信アイコン４１を、外部のサーバ装置が検出されたタイミングで、図４（ｃ）に示すように点灯表示制御する。これにより、ユーザに対して、ホームネットワーク２に対するネットワーク接続及び外部のサーバ装置の検出の完了を認識させることができる。
【００５１】
さらに、制御部３４は、外部のサーバ装置に保存されている静止画像コンテンツを表示部２５に表示する場合、図４（ｃ）に示すように、例えば「パーソナルコンピュータ  ＰＣ−００８」等の、現在、再生している静止画像コンテンツの保存場所（この例の場合は、パーソナルコンピュータ装置４）及びその静止画像コンテンツに付されている識別番号（この例の場合は、ＰＣ−００８）を表示する。
【００５２】
（４の場合）
次に、「４．メモリ３３に静止画像コンテンツが保存されており、ホームネットワーク２に接続された外部のサーバ装置が存在する場合」、制御部３４は、メモリ３３内のコンテンツの有無を判別するステップＳ６で「Ｙｅｓ」と判別し、外部のサーバ装置の検出の有無を判別するステップＳ８でも「Ｙｅｓ」と判別することとなる。
【００５３】
この場合、制御部３４は、メモリ３３に静止画像コンテンツが保存されているため、ステップＳ７において、メモリ３３に保存されている静止画像コンテンツのファイルパスに基づいて再生リストを形成する。そして、この形成した再生リストに基づいて、各静止画像コンテンツを所定時間間隔で順次、連続的に再生する連続再生を開始する。
【００５４】
これにより、パーソナルコンピュータ装置４やハードディスクレコーダ装置５等の外部のサーバ装置に保存されている静止画像コンテンツが連続再生される前に、上記連続再生指示アイコン４０が選択操作されたタイミングで、メモリ３３に保存されている静止画像コンテンツの連続再生が開始され、該連続再生された各静止画像コンテンツが表示部２５に順次、表示されることとなる。
【００５５】
また、この場合、制御部３４は、外部のサーバ装置が検出されたタイミングで、図４（ｃ）に示すように、それまで点滅表示制御していた近距離無線通信アイコン４１を点灯表示制御すると共に、処理をステップＳ９に進め、この検出された上記パーソナルコンピュータ装置４やハードディスクレコーダ装置５等の外部のサーバ装置に保存されているコンテンツに対応する再生リストを形成し、この新たに形成した再生リストに基づいて、再生リストの更新処理を行う。
【００５６】
具体的には、制御部３４は、サーバ装置に保存されている静止画像コンテンツに対応する再生リストを、上記メモリ３３に保存されている静止画像コンテンツに対応する再生リストに付加することで、該再生リストを更新処理する。そして、ステップＳ１０において、この更新処理した再生リストに基づいて、例えばメモリ３３に保存されている静止画像コンテンツ及び外部のサーバ装置に保存されている静止画像コンテンツを交互に連続再生する等のように、外部のサーバ装置に保存されている静止画像コンテンツにメモリ３３に保存されている静止画像コンテンツを交じえて、該静止画像コンテンツの連続再生を行う。
【００５７】
或いは、制御部３４は、上記メモリ３３に保存されている静止画像コンテンツに対応する再生リストを、サーバ装置に保存されている静止画像コンテンツに対応する再生リストに更新処理する。そして、ステップＳ１０において、この更新処理した再生リストに基づいて、外部のサーバ装置に保存されている静止画像コンテンツを連続再生する。これにより、ユーザからサーバ装置に保存されているコンテンツの連続再生が指定されたタイミングで、メモリ３３に保存されている静止画像コンテンツの連続再生を直ちに開始し、外部のサーバ装置に保存されている静止画像コンテンツの取り込みを行ったタイミングで、当該連続再生する静止画像コンテンツを、メモリ３３に保存されている静止画像コンテンツから、外部のサーバ装置に保存されている静止画像コンテンツに切り替えて、該連続再生を行うことができる。
【００５８】
制御部３４は、このような連続再生制御を行うと共に、ステップＳ１１でホームネットワーク２上の全てのサーバ装置の検出が終了したか否か、及びステップＳ１２で、上記再生リストに掲げられた全ての静止画像コンテンツの再生が終了したか否かを判別し、ホームネットワーク２上の全てのサーバ装置の検出が終了し、かつ、上記再生リストに掲げられた全ての静止画像コンテンツの再生が終了したものと判別したタイミングで、この図３のフローチャートに示す全処理を終了する。
【００５９】
〔コンテンツの選択的取り込み動作〕
次に、この実施の形態のホームネットワークシステムの場合、ユーザは、上記パーソナルコンピュータ装置４及びハードディスクレコーダ装置５等の外部のサーバ装置に保存されている「未再生のコンテンツ」、「ユーザの嗜好に対応するコンテンツ」、或いは「再生途中となっているコンテンツ」のうち、所望のコンテンツを指定して取り込み可能となっている。この取り込みを行うコンテンツの指定は、ユーザが設定メニューに基づいて予め指定するようになっている。制御部３４は、ユーザから指定された、上記取り込みを行うコンテンツを示す取り込みコンテンツ情報をメモリ３３に記憶しておき、図３のフローチャートに示す上記ステップＳ９において、外部のサーバ装置からコンテンツの取り込みを行う際に、このメモリ３３に記憶されている取り込みコンテンツ情報に基づいて、ユーザに指定されたコンテンツの取り込みを行う。
【００６０】
（未再生のコンテンツの取り込み動作）
具体的には、ハードディスクレコーダ装置５において、テレビジョン放送番組を録画することで形成された動画コンテンツのうち、未再生の動画コンテンツに対しては、当該ハードディスクレコーダ装置５は、その動画コンテンツに対して未再生であることを示すフラグを付すと共に、録画済みリストを表示する際に、例えば新着コンテンツであることを示す「Ｎｅｗ」の文字を、その題名に付して表示するようになっている。同様に、パーソナルコンピュータ装置４においても、未再生の静止画像コンテンツ、動画像コンテンツ及び音楽コンテンツに対して、未再生であることを示すフラグを付すようになっている。
【００６１】
このため、取り込みを行うコンテンツとして、ユーザから上記「未再生のコンテンツ」が指定されている場合、携帯電話機１の制御部３４は、パーソナルコンピュータ装置４及びハードディスクレコーダ装置５等の外部のサーバ装置から、未再生の静止画像コンテンツ（及び動画コンテンツ、音楽コンテンツ）を取り込むように、近距離無線通信部３２を制御する。これにより、外部のサーバ装置から未再生のコンテンツのみを選択的に取り込むことができ、該未再生のコンテンツのみを上述のように連続再生することができる。
【００６２】
なお、携帯電話機１の制御部３４は、動画コンテンツを連続再生する場合は、第１番目の動画コンテンツの先頭から数秒程度を再生し、第２番目の動画コンテンツの先頭から数秒程度を再生する等のように、各動画コンテンツの先頭部分を数秒ずつ連続的に再生する。同様に、携帯電話機１の制御部３４は、音楽コンテンツを連続再生する場合は、第１番目の音楽コンテンツの先頭から数秒程度を再生し、第２番目の音楽コンテンツの先頭から数秒程度を再生する等のように、各音楽コンテンツの先頭部分を数秒ずつ連続的に再生する。
【００６３】
（ユーザの嗜好に対応するコンテンツの取り込み動作）
次に、ハードディスクレコーダ装置５において、テレビジョン放送番組を録画することで形成された各動画コンテンツに対しては、その動画コンテンツの種別を示す、例えば「スポーツ」、「アニメーション」、「映画」、「バラエティ」等の種別情報が付されるようになっている。同様に、パーソナルコンピュータ装置４においても、動画像コンテンツに対しては上述の種別情報を付加して保存し、音楽コンテンツに対しては「ポップス」、「ロック」、「演歌」等の種別情報を付加して保存するようになっている。なお、パーソナルコンピュータ装置４に保存される静止画像コンテンツに対しては、ユーザがマニュアル的に、例えば「運動会」、「音楽会」、「文化祭」等の種別情報を付加して保存するようになっている。
【００６４】
また、ハードディスクレコーダ装置５は、各動画コンテンツが視聴される毎に、この視聴された動画コンテンツの種別情報をカウントする。これにより、ユーザが頻繁に視聴する動画コンテンツの種別のカウント値が徐々に大きな値となる。そして、この大きな値となったカウント値に対応する種別が、ユーザの嗜好に対応する種別を示すこととなる。
【００６５】
同様に、パーソナルコンピュータ装置４も、各動画コンテンツが視聴される毎に、この視聴された動画コンテンツの種別情報をカウントし、音楽コンテンツや静止画像コンテンツの再生がなされる毎に、この再生された音楽コンテンツや静止画像コンテンツの種別情報をカウントする。これにより、ユーザが頻繁に視聴する動画コンテンツ、音楽コンテンツ、及び静止画像コンテンツの種別のカウント値が徐々に大きな値となる。そして、この大きな値となったカウント値に対応する種別が、ユーザの嗜好に対応する種別を示すこととなる。
【００６６】
取り込みを行うコンテンツとして、ユーザから上記「ユーザの嗜好に対応するコンテンツ」が指定されている場合、携帯電話機１の制御部３４は、パーソナルコンピュータ装置４及びハードディスクレコーダ装置５等の外部のサーバ装置から、上記カウント値の大きなコンテンツを取り込むように、近距離無線通信部３２を制御する。これにより、外部のサーバ装置からユーザの嗜好に対応するコンテンツのみを選択的に取り込むことができ、該ユーザの嗜好に対応するコンテンツのみを上述のように連続再生することができる。
【００６７】
（再生途中となっているコンテンツの取り込み動作）
次に、ハードディスクレコーダ装置５において、保存している各動画コンテンツのうち、再生途中の動画コンテンツに対しては、その再生途中となる位置にマーカを付すようになっている。すなわち、再生途中の位置に対応する再生時間情報を記憶しておき、次回の再生時に、この再生時間情報で示される再生位置から再生を開始するようになっている。
【００６８】
同様に、パーソナルコンピュータ装置４も、各動画コンテンツのうち、再生途中の動画コンテンツや音楽コンテンツに対しては、その再生途中となる位置に上記マーカを付すようになっている。
【００６９】
取り込みを行うコンテンツとして、ユーザから上記「再生途中となっているコンテンツ」が指定されている場合、携帯電話機１の制御部３４は、パーソナルコンピュータ装置４及びハードディスクレコーダ装置５等の外部のサーバ装置から、上記マーカが付されているコンテンツを取り込むように、近距離無線通信部３２を制御する。これにより、外部のサーバ装置から再生途中となっているコンテンツのみを選択的に取り込むことができ、該ユーザの嗜好に対応するコンテンツのみを上述のように連続再生することができる。
【００７０】
〔電子メールに対するコンテンツの添付動作〕
次に、当該実施の形態のホームネットワークシステムの場合、上述のように連続再生されているコンテンツの中から所望のコンテンツを選択し、この選択したコンテンツを電子メールの添付ファイルとして添付可能となっている。
【００７１】
まず、携帯電話機１の操作部２６は、決定キー、十字キー、クリアキー及び第１〜第４のソフトキーを有しており、制御部３４は、これら各キーに所定の機能を割り当てて表示部２５に表示するようになっている。例えば、図４（ｃ）に示す静止画像コンテンツの連続再生時には、制御部３４は、決定キーに対して再生／一時停止の各機能が、十字キーの右キーに対してコンテンツの早送り機能が、十字キーの左キーに対してコンテンツの早戻し機能が、第１のソフトキーに対して連続再生の中止機能が、第２のソフトキーに対して表示部２５に静止画像コンテンツのみを表示する機能が、第３のソフトキーに対して総合メニューを表示する機能が、それぞれ割り当てられていることを意味する表示を行う。
【００７２】
電子メールに添付するコンテンツを選択する場合、ユーザは、上述のように連続再生されるコンテンツのうち、所望のコンテンツが再生された際に決定キーを押圧操作する。上述のように、この場合、決定キーに対しては再生／一時停止の各機能が割り当てられている。このため、制御部３４は、連続再生中に決定キーの押圧操作を検出すると、当該決定キーの押圧操作を検出したタイミングで、静止画像コンテンツの連続再生を一時停止制御する。これにより、図４（ｄ）に示すように、決定キーの押圧操作が検出された際に再生していた静止画像コンテンツが停止した状態で表示部２５に表示されることとなる。
【００７３】
また、制御部３４は、このような停止表示制御と共に、第３のソフトキーに対して、現在、表示されている静止画像コンテンツを電子メールの添付ファイルに指定する機能が割り当てられていることを意味する表示（＝図４（ｄ）に示す「メール添付」の表示）を行うと共に、第４のソフトキーに対して、現在、表示されている静止画像コンテンツをメモリ３３に保存する機能が割り当てられていることを意味する表示（＝図４（ｄ）に示す「保存」の表示）を行う。
【００７４】
ユーザは、現在、表示されている静止画像コンテンツを電子メールの添付ファイルに指定する場合、上記第３のソフトキーを押圧操作する。制御部３４は、この第３のソフトキーの押圧操作を検出すると、現在、表示している静止画像コンテンツが電子メールの添付ファイルに指定されたことを認識し、メモリ３３に記憶されている電子メール管理プログラムに基づいて、図４（ｅ）に示すような電子メールの編集画面を表示部２５に表示する。そして、この電子メールの編集画面と、上記第３のソフトキーが押圧操作された際に表示部２５に表示していた静止画像コンテンツとを関連付けすると共に、電子メールの編集画面に対して、例えば「ＰＣ−００８  １８ＫＢ」等の、当該電子メールに対して添付ファイルが添付されたことを意味する表示を行う。
【００７５】
これによりユーザは、自分が選択した静止画像コンテンツが、これから作成しようとしている電子メールに対して添付されたことを認識することができる。制御部３４は、この編集画面に基づいて作成された電子メールを送信する際、上記関連付けを行った静止画像コンテンツを添付して送信する。これにより、連続再生されているコンテンツの中から選択した所望のコンテンツを添付ファイルとした電子メールの送信を行うことができる。
【００７６】
〔コンテンツの保存動作〕
次に、当該実施の形態のホームネットワークシステムの場合、外部のサーバ装置から配信され連続再生されているコンテンツの中から所望のコンテンツを選択し、この選択したコンテンツをメモリ３３に保存可能となっている。この場合、ユーザは、上述のように連続再生されるコンテンツのうち、所望のコンテンツが再生された際に決定キーを押圧操作する。上述のように、決定キーに対しては再生／一時停止の各機能が割り当てられている。このため、制御部３４は、連続再生中に決定キーの押圧操作を検出すると、当該決定キーの押圧操作を検出したタイミングで、静止画像コンテンツの連続再生を一時停止制御する。これにより、図４（ｄ）に示すように、決定キーの押圧操作が検出された際に再生していた静止画像コンテンツが停止した状態で表示部２５に表示されることとなる。
【００７７】
また、制御部３４は、このような停止表示制御と共に、第４のソフトキーに対して、現在、表示されている静止画像コンテンツをメモリ３３に保存する機能が割り当てられていることを意味する表示（＝図４（ｄ）に示す「保存」の表示）を行う。
【００７８】
ユーザは、現在、表示されている静止画像コンテンツを保存する場合、上記第４のソフトキーを押圧操作する。制御部３４は、この第４のソフトキーの押圧操作を検出すると、現在、表示している静止画像コンテンツの保存が指定されたことを認識し、上記第４のソフトキーが押圧操作された際に表示部２５に表示していた静止画像コンテンツをメモリ３３に保存制御する。これにより、外部のサーバ装置から配信され連続再生されているコンテンツの中から所望のコンテンツを選択し、この選択したコンテンツをメモリ３３に保存することができる。
【００７９】
〔コンテンツの一覧の表示動作〕
次に、当該実施の形態のホームネットワークシステムの場合、連続再生されているコンテンツの一覧を表示可能となっている。例えば、静止画像コンテンツの連続再生時には、ユーザは、いわゆる流し見を行うかたちで、該連続再生される静止画像コンテンツを視認していくのであるが、現在、表示されている静止画像コンテンツの前後数枚分の静止画像コンテンツを確認したい場合がある。この連続再生時には、制御部３４は、操作部２６のクリアキーに対して、静止画像コンテンツの一覧表示の指定機能を割り当てている。このため、ユーザは、静止画像コンテンツの一覧を表示させたい場合、所望の静止画像コンテンツが表示された際に上記クリアキーを押圧操作する。
【００８０】
制御部３４は、連続再生時にクリアキーの押圧操作を検出すると、静止画像コンテンツの一覧の表示が指定されたものと認識し、例えば図４（ｆ）に示すように、クリアキーの押圧操作を検出した際に表示部２５に表示していた静止画像コンテンツの識別番号、及びこの静止画像コンテンツの前後の識別番号を有する該前後数枚分の静止画像コンテンツの識別番号を一覧表示する。図４（ｆ）に示す例は、パーソナルコンピュータ装置４に保存されているＰＣ−００８の識別番号が付された静止画像コンテンツが表示部２５に表示されている際に、上記クリアキーが押圧操作された場合の一覧の表示例である。この場合、ＰＣ−００８の識別番号を略中心として、前後の静止画像コンテンツの識別番号となる、ＰＣ−００５〜ＰＣ−００７及びＰＣ−００９〜ＰＣ−０１２の各識別番号が一覧表示されることとなる。なお、この例では、識別番号の一覧を表示することとしたが、サムネイル画像の一覧を表示してもよい。
【００８１】
次に、ユーザは、このように識別番号が一覧表示された静止画像コンテンツの中から所望の静止画像コンテンツを表示する場合、十字キーの上キー及び下キーを押圧操作することでカーソルＣＲを移動操作し、この一覧表示された各識別番号の中から、所望の静止画像コンテンツに対応する識別番号を選択操作した後、決定キーを押圧操作する。
【００８２】
制御部３４は、上記識別番号の一覧を表示している際に決定キーの押圧操作を検出すると、例えば図４（ｄ）に示すように当該決定キーの押圧操作を検出した際にカーソルＣＲが位置している識別番号に対応する静止画像コンテンツを表示部２５に表示制御する。これにより、連続再生されている静止画像コンテンツと、その前後の静止画像コンテンツの中から所望のコンテンツを選択して表示部２５に表示することができる。
【００８３】
なお、制御部３４は、このように上記一覧の中から選択された静止画像コンテンツを表示部２５に表示した際に、第３のソフトキーに対してメール添付機能を割り当て、また、第４のソフトキーに対して保存機能を割り当てる。そして、第３のソフトキーの押圧操作を検出した場合は、図４（ｅ）を用いて説明したように、その静止画像コンテンツを添付ファイルとした電子メールの編集画面を表示部２５に表示制御し、第４のソフトキーの押圧操作を検出した場合は、その静止画像コンテンツをメモリ３３に保存制御する。
【００８４】
［実施の形態の効果］
以上の説明から明らかなように、当該実施の形態のホームネットワークシステムは、外部のサーバ装置から取り込んだ複数のコンテンツの連続再生が指定された場合、該外部のサーバ装置からコンテンツの取り込みを行っている間、携帯電話機１の内部のメモリ３３に保存されている各コンテンツを、所定時間間隔で順次、連続再生する。そして、外部のサーバ装置からコンテンツの取り込みが行われた際に、先に連続再生している上記コンテンツ記憶手段のコンテンツに代えて、或いは、コンテンツ記憶手段のコンテンツも交えて、外部のサーバ装置から取り込んだコンテンツの連続再生を実行する。
【００８５】
これにより、ホームネットワーク２上に接続されている外部のサーバ装置からコンテンツを取り込むまでの間は、メモリ３３に保存されているコンテンツの連続再生を、先行して実行することができるため、ユーザからの見た目上、コンテンツの連続再生を直ちに実行することができる。従って、外部のサーバ装置に保存されているコンテンツの連続再生が開始されるまでに長時間を要することで、ユーザが煩わしさを覚える不都合を防止することができる。
【００８６】
［変形例］
上述の実施の形態の説明では、本発明に対して携帯電話機を用いることとしたが、この携帯電話機の他、ＰＨＳ電話機（PHS：Personal Handyphone System）、ＰＤＡ装置（PDA：Personal Digital Assistant）、ノート型のパーソナルコンピュータ装置等の携帯機器を用いてもよい。いずれの場合でも、上述と同じ効果を得ることができる。
【００８７】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００８８】
【図１】本発明を適用した実施の形態となるホームネットワークシステムのシステム構成を示す図である。
【図２】実施の形態のホームネットワークシステムで用いられる携帯電話機のブロック図である。
【図３】実施の形態のホームネットワークシステムにおける、コンテンツの連続再生動作の流れを示すフローチャートである。
【図４】実施の形態のホームネットワークシステムの、コンテンツの連続再生動作時に携帯電話機の表示部に表示される各表示例を示す図である。
【符号の説明】
【００８９】
１  携帯電話機、２  ホームネットワークシステム、３  近距離無線通信アクセスポイント（近距離無線通信ＡＰ）、４  パーソナルコンピュータ装置、５  ハードディスクレコーダ装置、２１  携帯電話機のアンテナ、２２  通信回路、２３  スピーカ部、２４  マイクロホン部、２５  表示部、２６  操作部、２７  発光部（ＬＥＤ）、２８  カメラ部、２９  バイブレーションユニット、３０  タイマ、３１  近距離無線通信アンテナ、３２  近距離無線通信部、３３  メモリ、３４  制御部
【図１】
2008271334.tif 000003
【図２】
2008271334.tif 000004
【図３】
2008271334.tif 000005
【図４】
2008271334.tif 000006